(57)【特許請求の範囲】
【請求項１】
先端にエアレス排出ポンプ１１が結合され、内部には内容物１２が注入され、下部内側にはディスク１３が挿入されてなる不透明の内部容器１０と、
内面に垂直な挿入溝２１が形成され、前記挿入溝２１には前記ディスク１３の下側に連結された別途の残量表示帯３０が挿入される透明外部容器２０と、
外部容器２０の前記挿入溝２１に挿設されており、内側に前記残量表示帯３０が挿入されることにより、外部から前記残量表示帯３０が透視できる別途の透明管４０と、
前記内部容器１０の下端一側には回転可能に結合して形成された干渉防止具１５と、
をそれぞれ備え、
前記内部容器１０の外面に前記の外部容器２０が密着して結合され、内部容器１０の内容物１２が消尽されるにつれてディスク１３が上昇すれば、外部容器２０を通じて見える残量表示帯３０の高さによって内部容器１０の内容物１２の残量を肉眼で確認でき、
前記干渉防止具１５は、前記内部容器１０の下端に回転可能に結合されたローラーまたはボールのいずれか一つからなり、
前記ディスク１３の上昇によって移動する残量表示帯３０が、前記内部容器１０の下端と干渉することなく、前記干渉防止具１５の回転によって滑らかに移動することを特徴とする、
残量表示手段を有するエアレス化粧品容器。
【請求項２】
内部容器１０の下端は開放され、前記残量表示帯３０は開放した内部容器１０の下端を通じてディスク１３と連結されることを特徴とする、請求項１に記載の残量表示手段を有するエアレス化粧品容器。
【請求項３】
残量表示帯３０の露出外面は内部容器１０と同一色相であり、前記残量表示帯３０と対応する位置の内部容器１０の外面に残量表示帯３０とは異なる色相の異種色相部１４が印刷されることにより、
内容物の排出によって残量表示帯３０の末端が下降すれば、異種色相部１４が露出されて残量の確認が可能であることを特徴とする、請求項１に記載の残量表示手段を有するエアレス化粧品容器。
【発明の詳細な説明】
【技術分野】
【０００１】
本発明は、内容物を一定量ずつ排出して使うことができるエアレス排出ポンプが結合された化粧品容器に関するものであり、より詳しくは化粧品容器内の内容物を使うことによる内容物の残量を肉眼で早くて正確に確認するようにしたものである。
【背景技術】
【０００２】
一般に、容器内に収容された内容物を適量ずつ排出して使うようにする手段の一つとして、化粧品容器に付加のエアレス排出ポンプ（Ａｉｒｌｅｓｓ ｏｕｔｌｅｔ ｐｕｍｐ）を装着して使っている。
【０００３】
前記のエアレス排出ポンプは、容器内に収容された内容物を少量ずつ排出して使うように設計されているので、機能性化粧品などを収容する容器に多く適用されている趨勢である。
【０００４】
したがって、前記のエアレス排出ポンプを作動させて内容物を排出して使うとき、容器の内部に挿入されたディスクが上方に移動して、容器に収容された内容物がいつも排出ポンプの下側とディスクの上側との間にいっぱい満ちている状態を維持するようになる。そして前記のように容器内の内容物を上方に押し上げるディスクの特性上、ディスクが移動する容器の内面が滑らかではなければならなくディスクの外径に対して均一な内径を有しなければならない。
【０００５】
しかし、前記のようなエアレス排出ポンプが装着された化粧品容器は、容器の外部の表面に化粧品の品名、製造社、多様な色相やデザインの表現によって美麗な美観を得るために容器全体を不透明素材で製作するので、その内容物の残量を確認することができない問題点がある。
【０００６】
このように、内容物の残量を確認できなかったため、新しい化粧品を前もって購買しておくことが出来なかったせいで、残量の完全消耗の際に化粧が困難な場合がある。さらに前記のようなエアレス排出ポンプが装着された機能性化粧品容器は殆どが小さくて軽いため、内容物の残量確認のためにこれを振って見たり、重みを予測してみようとしても、その残量を正確に分かることができない。よって、内容物の消尽により、時々困難な状況が起こる。
【０００７】
よって、大韓民国公開実用新案第２０−２００８−００１８３１号（公開日：２００８年０６月１６日）のように、透明のガラス材または合成樹脂材から成形された透明容器によって内容物の残量を容易に識別することができるようにしながらも、印刷された目盛りによって一回の使用量を正確に測定するようにした残量確認の可能な化粧品容器が案出されたことがある。
【０００８】
しかし、前記のような残量確認の可能な化粧品容器はガラスまたは合成樹脂による透明容器のみからなっているので、紫外線によって変質及び変色が容易に発生する化粧品の特性を考慮することではなかったものであり、化粧品の内容物が容易に変質又は変色される問題点を有する。
【０００９】
すなわち、透明容器によって内容物残量の確認は簡単且つ正確に確認できるが、内部の内容物が紫外線に容易に露出されるので使用期限及び流動期間が短くなる問題点を有する。そして、大部分の化粧品は使用期間が長いことを考えると、このようなことは極めて非経済的である。
【００１０】
また、前記のように、透明容器によって残量確認が容易である一方、内部の内容物が外部にそのまま見えると共に排出ポンプ及び下側のディスクも外部にそのまま見えるので、高級で美麗な外装を演出することができなくなる。又、容器に製品名や会社名または多様な情報などを印刷する場合には、容器が透明であるため、多様な情報を消費者が正確に認知することができなく、製品の差別性が明らにできない問題点を有する。
【先行技術文献】
【特許文献】
【００１１】
【特許文献１】大韓民国公開実用新案第２０−２００８−００１８３１号明細書
【発明の概要】
【発明が解決しようとする課題】
【００１２】
本発明の目的は、前記のような問題点を改善したものであり、エアレス排出ポンプが結合された不透明内部容器に透明の外部容器を二重に結合して形成し、前記外部容器の内面には挿入溝を形成し、前記挿入溝には内部容器内側のディスクに連結された残量表示帯を挿入して構成することにより、内容物の排出使用によってディスクが上昇すれば、ディスクと共に残量表示帯が下降して、内容物の残量を透明外部容器を通じて正確で早く認知できることを特徴とする残量表示手段を有するエアレス化粧品容器を提供することである。
【課題を解決するための手段】
【００１３】
前記のような目的を達成するための本発明は、先端にエアレス排出ポンプが結合され、内部には内容物が注入され、下部内側にディスクが挿入されてなる不透明の内部容器と、内面に垂直な挿入溝が形成され、前記挿入溝には前記ディスクの下側と連結された別途の残量表示帯が挿入される透明外部容器とをそれぞれ備え、前記内部容器の外面に前記の外部容器が密着して結合され、内部容器の内容物が消尽されるにつれてディスクが上昇すれば、外部容器を通じて見える残量表示機帯により、内部容器の内容物の残量を肉眼で確認することができるように構成されている。
【発明の効果】
【００１４】
本発明により、不透明の内部容器によって内容物の変質や変色などを予防することができながらも、内部容器の外面に多様な印刷ができる印刷部を形成することによって製品の特徴及び固有性を提供及び演出することができる。又、本発明により、内部容器の印刷部は透明の外部容器を通じて透視されるので、一層高級な美観を演出することができ、さらに外部容器を通じて肉眼に透視される残量表示帯によって内容物の残量を正確で観点に認知及び確認することができ、使用上の利便性が一層高まる。
【図面の簡単な説明】
【００１５】
【図１】本発明による化粧品容器の全体斜視図である。
【図２】本発明による化粧品容器の分解斜視図である。
【図３】本発明による化粧品容器の全体断面図である。
【図４】本発明による化粧品容器の完全充填 状態の断面図である。
【図５】本発明による化粧品容器の消尽状態の断面図である。
【図６】本発明による化粧品容器の残量表示帯のその他の実施例を示す図である。
【図７】本発明による化粧品容器の残量表示帯のその他の実施例を示す図である。
【図８】本発明による化粧品容器の残量表示帯の他の実施例を示す図である。
【発明を実施するための形態】
【００１６】
本明細書及び請求範囲に使用された用語や単語は通常的もしくは辞書的な意味に限定して解釈されてはいけなく、発明者は自分の発明を最良の方法で説明するために用語の概念を適切に定義することができるという原則に従って、本発明の技術的思想に適合する意味と概念として解釈されなければならない。
【００１７】
以下、添付図面に基づいて本発明の好ましい実施例を詳細に説明する。
【００１８】
図１は本発明による化粧品容器の全体斜視図であり、図２は本発明による化粧品容器の分解斜視図であり、図３は本発明による化粧品容器の全体断面図である。
【００１９】
図で示したように、本発明による化粧品容器は、エアレス排出ポンプ１１が結合された内部容器１０と、前記内部容器１０の外側に結合される外部容器２０とからなり、前記の内部容器１０は充填される内容物１２の変色や変質を防止するために不透明材からなり、必要によっては紫外線遮断物質を混合して成形することができる。
【００２０】
また、前記内部容器１０の内側には別度のディスク１３が挿入され、開放した内部容器１０の下端を通じて内容物１２を入れた後、前記のディスク１３を挿入させて内容物１２に密着させることができる。
【００２１】
また、前記の外部容器２０は透明合成樹脂から射出形成され、好ましくは上側が開放し下端は密閉した形態が理想的であり、前記のような外部容器２０の内面には垂直な挿入溝２１が形成されている。
【００２２】
これにより、前記内部容器１０の外側に透明の外部容器２０が挿入され、密着して結合される。そして前記ディスク１３の底面に連結された残量表示帯３０が前記外部容器２０の挿入溝２１の内側に挿入される。
【００２３】
この際、残量表示帯３０は視認性に優れたカラーであり、折れないながらも自由で柔らかに曲がる形態のフィルム紙が理想的であろう。
【００２４】
よって、図４に示すように、内部容器１０内に内容物１２がいっぱい充填されてディスク１３が下降した状態であれば、残量表示帯３０の末端は外部容器２０の挿入溝２１内の上側端に位置し、エアレス排出ポンプ１１によって使用者が内容物１２を使うにつれて次第に内容物１２が消尽されれば、図５に示すように、ディスク１３が上昇し、ディスク１３の上昇によって前記の残量表示帯３０もディスク１３につれて内部容器１０の内部で上昇し、外部容器２０を通じて透視される残量表示帯３０の末端は外部容器２０の挿入溝２１から下降する。
【００２５】
したがって、結局、使用者は残量表示帯３０の高さが内容物１２の残量として認識するようになり、これは実際の内部容器１０の内容物残量と同一水準を維持するので、より具体的で正確な残量確認が可能となる。
【００２６】
特に、前記内部容器１０の下端は開放しており、開放した下端は外部容器２０の底面より上側に位置することにより、外部容器２０の挿入溝２１の下端が内部容器１０によって遮られないため、挿入溝２１の下端を利用して残量表示帯３０が移動できる。
【００２７】
ここで、前記内部容器１０の下端と外部容器２０の底面が一致するように結合した状態で内部容器１０の下部一側に残量表示帯３０が挿入できる別途の通孔を形成しても構わない。
【００２８】
これにより、前記のように化粧品容器内の内容物を使うことにつれてディスク１３が上昇すれば、これと連動して外部から透視される残量表示帯３０が段々短くなって内容物１２の残量を速かに認知及び確認することができる。
【００２９】
また、前記のような本発明の化粧品容器は、内部容器１０が不透明なので紫外線から内容物を保護することができ、透明の外部容器２０により残量表示帯３０を保護するとともに明確に透視して確認することができる。また、内部容器１０の外面に製品の特徴や製造社などの情報を印刷すれば、この印刷部が外部容器２０を通じて透視されて一層高級な美観を演出する。
【００３０】
ここで、本発明の化粧品容器の他の実施例として、図６に示すように、前記残量表示帯３０は、内部容器１０と同一色相であり透視されるように構成する代わりに、前記残量表示帯３０と対応する内部容器１０の外面に内部容器１０及び残量表示帯３０と対比される色相で印刷してなる異種色相部１４を形成することにより、内部容器１０に内容物１２がいっぱい満たされている場合には残量表示帯３０によって内部容器１０の異種色相部１４が隠蔽されてこれを確認することができないが、内容物を徐々に消尽することにつれてディスク１３が上昇して残量表示帯３０の露出端部が下降すれば前記異種色相部１４が徐々に露出されるようになる。そして異種色相部１４の露出量によって内容物１２の残量を確認することができる。
【００３１】
したがって、本発明の化粧品容器は、内容物の変質を防止しながらも一層高級で美麗な美観を演出するとともに内容物の残量を正確で早く認知及び確認することができるので、使用上の利便性に非常に優れたものである。
【００３２】
特に、本発明による化粧品容器は、図７に示すように、外部容器２０の挿入溝２１内に別途の透明管４０を挿設し、前記の透明管４０の内側に残量表示帯３０を挿入するように構成することもできる。このような場合、前記外部容器２０と透明管４０を互いに異なる色相の透明素材から成形して異種のカラーを表現した外装を演出することができ、前記透明管４０によって残量表示帯３０を安全に保護することができるので、一層安定して使用することができる。
【００３３】
また、前記のような透明管４０は、平断面上の円形、三角形または四角形の断面で構成することができ、このような透明管４０の多様な断面形状は外部容器２０を通じて透視される透明管４０の外形により高級で美麗な美観を演出するのに一層効果的である。
【００３４】
特に、本発明の化粧品容器を構成するにおいて、内部容器１０の下端一側に別途の干渉防止具１５を結合することにより、前記の残量表示帯３０がもっと滑らかに自然に移動することができる。これは、内部容器１０の下端角部に残量表示帯３０が干渉するとか角部によって折れることによって残量表示帯３０が滑らかに移動できない問題点を解消するためである。
【００３５】
すなわち、図８に示すように、内部容器１０の下端から残量表示帯３０に向かう一側にはピン結合構造または安置構造などを利用してローラーまたはボールのような干渉防止具１５を回転可能に結合し、前記の残量表示帯３０は前記干渉防止具１５を経由して内側のディスク１３に連結するように構成する。
【００３６】
したがって、内部容器１０の内容物を使うことにつれてディスク１４が上昇すれば残量表示帯３０がディスク１４と一緒に移動し、この移動過程で内部容器１０の下端で折れる状態となる残量表示帯３０は回転可能な干渉防止具１５と接触することになり、ディスク１３の上昇によって残量表示帯３０に作用する移動力は前記干渉防止具１５を回転させる力として作用するので、結局前記残量表示帯３０は干渉防止具１５の回転によって滑らかに自然に移動することができる。
【００３７】
これにより、前記残量表示帯３０はディスク１３の上昇力に全く邪魔とならないながらも内部容器１０との直接的な接触を避けることができるので、一層効率的な使用が可能である。
【００３８】
以上のような本明細書に記載された実施例及び図面に示された構成は本発明の最良の一実施例に過ぎないものであり、本発明の技術的思想の全部代弁するものではないので、これらを代替できる多様な均等物及び変形例があり得ることを理解しなければならない。
【符号の説明】
【００３９】
１０    内部容器
１１    エアレス排出ポンプ
１２    内容物
１３    ディスク
１４    異種色相部
１５    干渉防止具
２０    外部容器
２１    挿入溝
３０    残量表示帯
４０    透明管
【図１】
0005806777.tif 000002
【図２】
0005806777.tif 000003
【図３】
0005806777.tif 000004
【図４】
0005806777.tif 000005
【図５】
0005806777.tif 000006
【図６】
0005806777.tif 000007
【図７】
0005806777.tif 000008
【図８】
0005806777.tif 000009